(57)【特許請求の範囲】
【請求項１】
画像が表示される表示部と、
前記表示部の表示制御を行う表示制御部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、前記表示部の表示領域に表示可能な範囲内で当該スクロール画像の予め定められた一部分を前記表示部に最初に表示させてから、当該スクロール画像を、スクロール表示が可能な両方向又は一方向に、予め定められた量だけスクロール表示させ、前記スクロール画像の予め定められた一部分を前記表示部に表示させる状態に戻してスクロール表示を停止させ、
更に、前記表示部の前記表示領域に直近に表示させた前記スクロール画像の予め定められた一部分を示す表示位置情報を記憶する表示位置情報記憶部を備え、
前記表示制御部は、前記表示位置情報記憶部に記憶されている前記表示位置情報が示す画像部分を前記表示領域に最初に表示させ、当該表示の状態を基点として、前記両方向又は一方向への前記スクロール画像のスクロール表示を行う表示装置。
【請求項２】
前記表示制御部は、前記両方向又は一方向への前記スクロール画像のスクロール表示開始時、前記スクロール画像が前記表示領域に前記最初に表示される部分から、前記スクロール画像の先頭位置又は最終位置までの情報量に基づいて前記両方向又は一方向へのスクロール量を設定し、当該設定したスクロール量で、前記両方向又は一方向への前記スクロール画像のスクロール表示を行う請求項１に記載の表示装置。
【請求項３】
前記表示制御部は、前記スクロール画像が前記表示領域に前記最初に表示される部分に、前記スクロール画像の先頭位置となる画像が含まれておらず、かつ前記スクロール画像の最終位置となる画像が含まれていない場合に、最初に表示されている状態から、前記両方向への前記スクロール画像のスクロール表示を行う請求項１又は請求項２に記載の表示装置。
【請求項４】
画像が表示される表示部と、
前記表示部の表示制御を行う表示制御部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、前記表示部の表示領域に表示可能な範囲内で当該スクロール画像の予め定められた一部分を前記表示部に最初に表示させてから、当該スクロール画像を、スクロール表示が可能な両方向又は一方向に、予め定められた量だけスクロール表示させ、前記スクロール画像の予め定められた一部分を前記表示部に表示させる状態に戻してスクロール表示を停止させ、
更に前記表示制御部は、前記スクロール画像が前記表示領域に前記最初に表示される部分に、前記スクロール画像の先頭位置となる画像が含まれておらず、かつ前記スクロール画像の最終位置となる画像が含まれていない場合に、最初に表示されている状態から、前記両方向への前記スクロール画像のスクロール表示を行う表示装置。
【請求項５】
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部としてコンピューターを機能させる表示制御プログラムであって、
前記表示制御部が、表示対象とする画像が前記スクロール表示により前記表示部に表示するスクロール画像である場合には、前記表示部の表示領域に表示可能な範囲内で当該スクロール画像の予め定められた一部分を前記表示部に最初に表示させてから、当該スクロール画像を、スクロール表示が可能な両方向又は一方向に、予め定められた量だけスクロール表示させ、前記スクロール画像の予め定められた一部分を前記表示部に表示させる状態に戻してスクロール表示を停止させるように前記コンピューターを機能させ、
更に、前記コンピューターを、前記表示部の前記表示領域に直近に表示させた前記スクロール画像の予め定められた一部分を示す表示位置情報を記憶する表示位置情報記憶部として機能させると共に、
前記表示制御部が、前記表示位置情報記憶部に記憶されている前記表示位置情報が示す画像部分を前記表示領域に最初に表示させ、当該表示の状態を基点として、前記両方向又は一方向への前記スクロール画像のスクロール表示を行うように機能させる表示制御プログラム。
【発明の詳細な説明】
【技術分野】
【０００１】
本発明は、表示装置及び表示制御プログラムに関し、特に、表示部に表示される画像をスクロール表示させる技術に関する。
【背景技術】
【０００２】
表示装置には、ユーザーが表示部の表示画面に対して行うタッチ操作に従って、表示部の表示画面をスクロール表示するものがある。スワイプ等のタッチ操作に従って実行されるスクロール表示は直感的で操作性も良く、さらにはスクロールバーの表示を無くしたり小さくできるため、表示部における画像の表示領域を大きくできるというメリットがある。
【０００３】
しかしながら、スクロールバーの表示が無い、あるいは小さいと、表示画面をスクロールできること、すなわち、表示部の表示領域に表示していないが更に表示すべき画像があることをユーザーが気付かないおそれがある。例えば、画像形成装置では、複数のジョブ情報が予め定められた順序で列挙されたリストを表示する場合がある。ジョブ情報は複数のジョブ名等が受付時刻順に列挙して表示されるが、スクロールバーの表示が無い、あるいは小さいと、ユーザーは、表示されずに隠れているジョブ情報に気付かない事態が生じ得る。
【０００４】
このため、表示部にスクロール可能な画像を表示する場合には、当該画像をその最終位置が表示されるまで一旦スクロールアップさせる表示装置が提案されている（例えば、下記特許文献１を参照）。
【先行技術文献】
【特許文献】
【０００５】
【特許文献１】特開平４−２３４７８９号公報
【発明の概要】
【発明が解決しようとする課題】
【０００６】
しかしながら、上記特許文献１に示される表示装置は、表示対象の画像をその最終位置が表示されるまで一旦スクロールアップさせ、スクロール可能な画像の後端部が表示された状態となるため、ユーザーが、当該画像の先頭位置等の所望の部分から内容を確認して操作を行うためには、当該画像の先頭位置を表示部の表示画面に表示させるスクロールダウンを指示する操作等を行う必要が生じ、ユーザーにとっては操作が面倒になっていた。
【０００７】
本発明は、上記の事情に鑑みなされたものであり、ユーザーの操作を面倒にすることなく、表示部に表示されている画像が、スクロール表示により全体が表示部に表示される画像であることを、ユーザーが容易に把握できるようにすることを目的とする。
【課題を解決するための手段】
【０００８】
本発明の一局面に係る表示装置は、画像が表示される表示部と、前記表示部の表示制御を行う表示制御部と、ユーザーからの操作を受け付ける操作受付部と、前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、前記表示制御部は、表示対象とする画像が前記スクロール表示により前記表示部に表示するスクロール画像である場合には、前記表示部の表示領域に表示可能な範囲内で当該スクロール画像の予め定められた一部分を前記表示部に最初に表示させてから、当該スクロール画像を、スクロール表示が可能な両方向又は一方向に、予め定められた量だけスクロール表示させ、前記スクロール画像の予め定められた一部分を前記表示部に表示させる状態に戻してスクロール表示を停止させるものである。
【０００９】
また、本発明の一局面に係る表示制御プログラムは、表示部の表示制御を行う表示制御部と、ユーザーからの操作を受け付ける操作受付部と、前記表示部の動作を制御し、前記操作受付部がユーザーから前記表示部の表示内容をスクロール表示させる指示を受け付けると、当該指示に応じて前記表示部の表示内容をスクロール表示させる表示制御部としてコンピューターを機能させる表示制御プログラムであって、前記表示制御部が、表示対象とする画像が前記スクロール表示により前記表示部に表示するスクロール画像である場合には、前記表示部の表示領域に表示可能な範囲内で当該スクロール画像の予め定められた一部分を前記表示部に最初に表示させてから、当該スクロール画像を、スクロール表示が可能な両方向又は一方向に、予め定められた量だけスクロール表示させ、前記スクロール画像の予め定められた一部分を前記表示部に表示させる状態に戻してスクロール表示を停止させるように、更に前記コンピューターを機能させるものである。
【発明の効果】
【００１０】
本発明によれば、スクロール表示をしなければ全体が表示領域に表示されないスクロール画像を表示部に表示させる場合には、当該スクロール画像を両方向又は一方向にスクロール表示させてから、スクロール画像の予め定められた一部分を表示部に表示させるため、当該スクロール画像が未だ表示部に表示されていない画像部分を含むことを、ユーザーが当該スクロール表示を視認することで容易に把握することができる。また、スクロール画像の上記スクロール表示が終了した後は、ユーザーが操作を行わなくても、予め定められたスクロール画像の一部分のみが表示部に表示される状態になるため、ユーザーは当該表示されている画像に基づく操作等をすぐに行うことができる。
【図面の簡単な説明】
【００１１】
【図１】本発明の第１実施形態に係る表示装置の主要内部構成を概略的に示した機能ブロック図である。
【図２】第１実施形態に係る画像形成装置による表示制御時の処理を示すフローチャートである。
【図３】表示画面の一例を示した図である。
【図４】表示画面の各要素を示した図である。
【図５】表示画面の一例を示した図である。
【図６】（Ａ）〜（Ｄ）はスクロール表示を説明するための説明図である。
【図７】表示部に表示される表示の一例を示した図である。
【図８】第２実施形態に係る画像形成装置による表示制御時の処理を示すフローチャートである。
【図９】（Ａ）〜（Ｄ）はスクロール表示を説明するための説明図である。
【発明を実施するための形態】
【００１２】
本発明の一実施形態に係る表示装置は、例えば、画像形成装置である。当該画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ファクシミリ通信部７１、及びネットワークインターフェイス部９１を含んで構成されている。
【００１３】
画像形成部１２は、印刷すべき画像のトナー像を用紙（記録媒体）上に形成する。
【００１４】
ＨＤＤ９２は、原稿読取部５によって読み取られた原稿画像等を記憶する大容量の記憶装置であるとともに、本発明の一実施形態に係る表示制御プログラムを記憶する。
【００１５】
操作部４７は、画像形成装置１が実行可能な各種動作及び処理について、操作者から、画像形成動作実行指示や原稿読取動作実行指示等の指示を受け付ける。操作部４７は、操作者への操作案内等を表示する表示部４７３を備えている。表示部４７３はタッチパネル機能を備え、当該タッチパネルにより、操作者が画面表示されるボタンやキーに触れる操作を検知して、検知した操作を示す検知信号を、後述する操作受付部１０１に出力する。
【００１６】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、又はＡＳＩＣ等である。制御ユニット１０は、制御部１００と、操作受付部１０１と、ジョブ管理部１０２と、表示制御部１０３と、表示位置情報記憶部１０４と、ジョブ情報記憶部１０５と、を備えている。
【００１７】
制御ユニット１０は、ＨＤＤ９２に記憶されている表示制御プログラムに従った動作により、制御部１００、操作受付部１０１、ジョブ管理部１０２、表示制御部１０３、表示位置情報記憶部１０４、及びジョブ情報記憶部１０５として機能する。但し、制御部１００等は、制御ユニット１０による表示制御プログラムなどに従った動作によらず、それぞれハードウェア回路により構成することも可能である。以下、特に触れない限り、各実施形態について同様である。
【００１８】
表示位置情報記憶部１０４は、表示部４７３の表示領域に直近に表示させたスクロール画像の予め定められた一部分を示す表示位置情報を記憶する。制御部１００は、表示部４７３の表示領域にスクロール画像の予め定められた一部分を表示させる度に、表示位置情報記憶部１０４に記憶されている表示位置情報を更新する。スクロール画像とは、表示制御部１０３が、スクロール表示させる対象として表示部４７３に表示させる画像である。すなわち、スクロール画像は、その全体が１度の表示では表示部４７３の表示領域に表示できず、スクロール表示をしなければ全体が表示領域に表示されない画像である。
【００１９】
ジョブ情報記憶部１０５は、各ジョブの受付時刻や種類（例えば、コピー印刷、プリンター印刷、ファクス受信印刷、ファクス送信、スキャン保存）、ジョブ名、ユーザー名、状況（例えば、待機中、処理中、完了）などのジョブ情報を記憶する。
【００２０】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御を行う。
【００２１】
操作受付部１０１は、操作部４７（タッチパネル等）から出力される検知信号に基づき、ユーザーにより入力されたユーザー操作を特定する。操作受付部１０１は、当該特定したユーザー操作が示す指示を受け付け、当該指示に対応する制御信号を制御部１００などに出力する。
【００２２】
ジョブ管理部１０２は、発生したジョブを示すジョブ情報をジョブ情報記憶部１０５に記憶させるとともに、ジョブの状況変化に応じて、ジョブ情報記憶部１０５に記憶されるジョブ情報を適宜更新する。
【００２３】
表示制御部１０３は、表示部４７３の表示制御を行う。表示制御部１０３は、例えば、操作受付部１０１がユーザーからの表示部４７３の表示内容をスクロールさせる指示を操作部４７のタッチパネル機能を介してフリック又はスワイプ操作等に基づいて受け付けると、当該要求に応じて表示部４７３の表示をスクロールさせる。
【００２４】
次に、上記の構成を備える画像形成装置１の動作について説明する。図２は、画像形成装置１による表示制御時の処理を示すフローチャートである。
【００２５】
例えば、操作受付部１０１がユーザーからのジョブリストの表示要求を受け付けると、制御部１００は、ジョブ情報記憶部１０５からジョブ情報を読み出す（Ｓ１）。表示制御部１０３は、読み出したジョブ情報に基づいて、ジョブリストを含んだ表示画面を作成する（Ｓ２）。
【００２６】
図３は、ジョブリストを含んだ表示画面の一例を示した図である。表示画面Ｄ１は、表示領域Ｅ１に表示される複数の項目（番号、受付時刻、種類、ジョブ名、ユーザー名、状況）からなるジョブリストＪ１と、タイトル名「ジョブ確認画面」及び項目名が表示された上段バーＢｕと、表示画面Ｄ１を閉じるための「Close」と表示されたボタンＢ１が形成された下段バーＢｄといったそれぞれの画像を含んで構成される。
【００２７】
ここで、例えば、上記ジョブリストＪ１は、表示部４７３の表示領域Ｅ１内に全体を表示可能である。すなわち、ジョブリストＪ１は、スクロール画像ではない。しかしながら、図４に示すジョブリストＪ２のように、ジョブ情報が多い場合は、表示部４７３の表示領域内に収まりきらず、その全体を表示領域Ｅ１内に表示することは不可能となる。すなわち、ジョブリストＪ２は、スクロール画像である。なお、図中のＳＴ、ＥＤはそれぞれ、ジョブリストＪ２の先頭位置及び最終位置を示している。
【００２８】
続いて、表示制御部１０３は、作成した上記表示画面に含まれるジョブリストがスクロール画像であるか否かを判断する（Ｓ３）。表示制御部１０３は、当該表示画面がスクロール画像を有していると判断すれば（Ｓ３でＹＥＳ）、表示位置情報記憶部１０４に、当該スクロール画像に関する上述した表示位置情報（すなわち、表示部４７３の表示領域Ｅ１にスクロール画像のどの部分が前回表示されたかを示す位置情報）が記憶されているか否かを判断する（Ｓ４）。
【００２９】
表示制御部１０３が、表示制御部１０３が、上記スクロール画像に関する表示位置情報が表示位置情報記憶部１０４に記憶されていると判断すれば（Ｓ４でＹＥＳ）、表示制御部１０３は、表示位置情報記憶部１０４に記憶されている表示位置情報に基づいて、ジョブリストＪ２のうち、前回表示されていた部分を、予め定められた一部分として、今回表示領域Ｅ１に最初に表示させる初期表示部分に設定する（Ｓ５）。例えば、ジョブリストＪ２についての表示位置情報が示す、前回表示された際に表示されていた部分が番号「0003」〜「0006」のジョブ情報部分である場合、図５に例を示すように、ジョブリストＪ２のうち、番号「0003」〜「0006」のジョブ情報が表示される部分を上記初期表示部分に設定する。表示制御部１０３は、当該設定した初期表示部分のジョブリストＪ２を表示領域Ｅ１に配置し、上段バーＢｕと下段バーＢｄとを含む表示画面Ｄ２を表示部４７３に表示させる（Ｓ５）。例えば、前回表示された際の最後に表示されていたジョブ情報が、番号「0003」〜「0006」のジョブ情報である場合、図５のような表示画面Ｄ２が表示部４７３に表示される。
【００３０】
その後、表示制御部１０３は、上記初期表示部分を基点に、スクロール画像であるジョブリストＪ２のスクロール表示を開始し（Ｓ６）、上記初期表示部分を表示領域Ｅ１に表示させた状態で当該スクロール表示を停止させる（Ｓ７）。
【００３１】
図６（Ａ）〜（Ｄ）は、スクロール表示（Ｓ６）を説明するための説明図である。まず、表示制御部１０３は、上記初期表示部分のジョブリストＪ２を表示領域Ｅ１に配置した表示画面Ｄ２を表示部４７３に表示させる（図６（Ａ））。
【００３２】
この状態から、表示制御部１０３は、まず、表示領域Ｅ１の下に隠れているジョブリストＪ２部分が示すジョブ情報を表示させるためのスクロールアップ表示を行い、基点となる上記初期表示部分から予め定められた単位移動量Ｕ（例えば、ジョブリストＪ２の１行分）だけジョブリストＪ２をスクロールする（図６（Ｂ））。
【００３３】
続いて、表示制御部１０３は、上記スクロールによるスクロールアップ表示後に、スクロール方向を切り替え、表示領域Ｅ１の上に隠れているジョブリストＪ２部分が示すジョブ情報を表示させるためのスクロールダウン表示を行い、単位移動量Ｕの２倍の移動量（換言すると、上記基点となる初期表示部分からの移動量は単位移動量Ｕ）だけジョブリストＪ２をスクロールする（図６（Ｃ））。
【００３４】
この後、表示制御部１０３は、更にスクロール方向を切り替えてスクロールアップ表示を行い、上記基点となる初期表示部分が表示領域Ｅ１に表示される状態に戻し（図６（Ｄ））、この状態でスクロールを停止させる。つまり、表示制御部１０３がジョブリストＪ２を表示部４７３に表示させるとき、ジョブリストＪ２は、表示領域Ｅ１に上記基点となる初期表示部分が表示された状態から、上下にスクロールされて表示された後に停止する。これにより、ユーザーには、表示部４７３において、ジョブリストＪ２が上下に揺れた後に予め定められた部分が表示された状態で止まったように視認される。
【００３５】
なお、ここでは上記のように予め定められた単位移動量ＵだけジョブリストＪ２をスクロールさせて表示する例を示しているが、表示制御部１０３は、上記基点となる初期表示部分以外の部分であって、表示領域Ｅ１に表示されずに隠れているジョブリストＪ２部分の全てが表示されるように、上記スクロールアップ及びスクロールダウンによる表示を行うようにしてもよい。
【００３６】
また、表示制御部１０３は、上記基点となる初期表示部分の表示時（Ｓ５）に、表示領域Ｅ１の上端にジョブリストＪ２の先頭位置ＳＴが配置されておらず、かつ表示領域Ｅ１の下端にジョブリストＪ２の最終位置ＥＤが配置されていない場合に、上述したスクロールアップ及びスクロールダウンによる表示を行うが、表示領域Ｅ１の上端にジョブリストＪ２の先頭位置ＳＴが配置されているのみの場合は、上述したスクロールアップのみで表示を行い、表示領域Ｅ１の下端にジョブリストＪ２の最終位置ＥＤが配置されているのみの場合には、上述したスクロールダウンのみで表示を行う。
【００３７】
例えば、スクロール表示の開始時に、ジョブリストＪ２の最上部、例えば、番号「0001」〜「0004」のジョブ情報が表示された部分が表示領域Ｅ１に表示されている場合は、その表示状態を基点にして、ここから下側となる部分を表示するためのスクロールアップによる表示となる。また、ジョブリストＪ２の最下部、例えば、番号「0007」〜「0010」のジョブ情報が表示された部分が表示領域Ｅ１に表示されている場合は、その表示状態を基点にして、ここから上側となる部分を表示するためのスクロールダウンによる表示となる。
【００３８】
一方、Ｓ４において、表示制御部１０３が、Ｓ２で制御部１００が作成した表示画面に含まれる上記スクロール画像に関する表示位置情報が表示位置情報記憶部１０４に記憶されていないと判断すれば（Ｓ４でＮＯ）、表示制御部１０３は、図７に示すように、ジョブリストＪ２の先頭位置ＳＴを表示領域Ｅ１の上端に配置して、ジョブリストＪ２と上段バーＢｕと下段バーＢｄとを含んで構成される表示画面Ｄ２を表示部４７３に表示させる（Ｓ８）。
【００３９】
その後、表示制御部１０３は、ジョブリストＪ２のスクロール表示を開始する（Ｓ９）。当該スクロール表示後、スクロール表示開始時の状態（表示画面Ｄ２を表示部４７３に表示させた状態）でスクロール表示を停止させる（Ｓ１０）。具体的には、表示制御部１０３は、まずスクロールアップによる表示を行い、基点となるジョブリストＪ２の先頭位置ＳＴから予め定められた単位移動量Ｕをスクロールすると、スクロール方向を切り替えてスクロールダウンによる表示を行い、基点となるジョブリストＪ２の先頭位置ＳＴを表示領域Ｅ１の上端に表示する状態に戻してから、スクロール表示を停止させる。
【００４０】
また、Ｓ３において、表示制御部１０３が、Ｓ２で制御部１００が作成した表示画面がスクロール画像を有していないと判断すれば（Ｓ３でＮＯ）、ジョブリストＪ１と上段バーＢｕと下段バーＢｄとを含んで構成される表示画面Ｄ１（図３）を表示部４７３に表示させる（Ｓ１１）。
【００４１】
上記第１実施形態によれば、表示部４７３の表示内容を表示領域Ｅ１が形成されたものにスクロールさせる場合、スクロール画像であるジョブリストＪ２のスクロール表示が自動的に行われるので、スクロールバーの表示が無い、あるいは小さかったとしても、スクロール画像の存在をユーザーに気づかせることができる。また、スクロール表示開始時の状態でスクロール画像は停止されるので、スクロール画像を元の位置（例えば、先頭位置）へ戻すためのスクロール操作は不要であり、ユーザーの手間を発生させることなく、スクロール画像の存在をユーザーに気づかせることができる。
【００４２】
次に、第２実施形態に係る表示装置（画像形成装置１）について説明する。第１実施形態では、スクロール画像をスクロール表示させる場合、基点となる初期表示部分から予め定められた量（単位移動量Ｕ）をスクロールさせるようにしているが、第２実施形態では、表示領域Ｅ１に表示しきれず、表示領域Ｅ１の上下方向それぞれに隠れているスクロール画像部分が示す情報量に基づいてスクロール量を設定する点で第１実施形態と相違する。
【００４３】
第２実施形態に係る表示装置（画像形成装置１）の動作を図８に示したフローチャートに基づいて説明する。図８は、第２実施形態に係る画像形成装置１による表示制御時の処理を示すフローチャートである。但し、第１実施形態と同様の処理についてはその説明を省略する。
【００４４】
Ｓ５において、表示制御部１０３が、表示位置情報記憶部１０４に記憶されている表示位置情報に基づいて、上記初期表示部分として、前回表示時の状態で、図５に示したように、ジョブリストＪ２の予め定められた一部分を含む表示画面Ｄ２を表示部４７３に表示させたとき、第２実施形態では、表示制御部１０３は、表示領域Ｅ１に表示しているジョブリストＪ２の一部分の上端から、当該ジョブリストＪ２の先頭位置ＳＴ（図４）までの距離ｄ１、及び表示領域Ｅ１に表示しているジョブリストＪ２の一部分の下端から、当該ジョブリストＪ２の最終位置ＥＤ（図４）までの距離ｄ２を算出する（Ｓ２１，Ｓ２２）。
【００４５】
次に、表示制御部１０３は、算出した距離ｄ１，ｄ２に基づいて、上下それぞれの方向のスクロール量を設定する（Ｓ２３）。すなわち、表示領域Ｅ１の上側に隠れているジョブリストＪ２部分が示す情報量（ここでは、番号「0001」，「0002」のジョブ情報）、及び表示領域Ｅ１の下側に隠れているジョブリストＪ２部分が示す情報量（ここでは、番号「0007」〜「0010」のジョブ情報）に基づいて、基点からの上下それぞれの方向のスクロール量を設定する（Ｓ２４）。
【００４６】
例えば、表示制御部１０３は、距離ｄ１と距離ｄ２が同じ長さである場合は、上下いずれの方向のスクロール量も予め定められた単位移動量Ｕ（例えば、ジョブリストＪ２の１行分）に設定し、距離ｄ１と距離ｄ２が異なる長さの場合は、距離の長い方へのスクロール量を単位移動量Ｕの２倍に設定し、距離の短い方へのスクロール量を単位移動量Ｕに設定する。図５に示したように、ジョブリストＪ２のうち、番号「0003」〜「0006」のジョブ情報が表示領域Ｅ１に表示されている場合、当該ジョブリストＪ２では、距離ｄ２が距離ｄ１よりも長くなるので、表示制御部１０３は、基点から下方向へのスクロール量を単位移動量Ｕの２倍（ジョブリストＪ２の２行分）に設定し、上方向へのスクロール量を単位移動量Ｕ（ジョブリストＪ２の１行分）に設定する。
【００４７】
そして、表示制御部１０３は、上記設定したスクロール量でジョブリストＪ２のスクロール表示を開始し（Ｓ６１）、当該スクール表示の終了後、上記初期表示部分を表示領域Ｅ１に表示させる状態に戻してスクロール表示を停止させる（Ｓ７）。
【００４８】
図９（Ａ）〜（Ｄ）は、第２実施形態におけるスクロール表示を説明するための説明図である。表示制御部１０３は、まず、図９（Ａ）に示すように、初期表示部分となるジョブリストＪ２の予め定められた一部分を表示領域Ｅ１に表示させる。ここから、表示制御部１０３は、表示領域Ｅ１の下に隠れているジョブリストＪ２部分が示すジョブ情報を表示させるためのスクロールアップを行う。そして、表示制御部１０３は、基点となる上記初期表示部分から、単位移動量Ｕの２倍（ジョブリストＪ２の２行分）をスクロールさせた時点で（図９（Ｂ））、スクロール方向を切り替え、表示領域Ｅ１の上に隠れているジョブ情報を表示させるためのスクロールダウンに切り換える。表示制御部１０３は、単位移動量Ｕの３つ分（つまり、基点から単位移動量Ｕ）を移動すると（図９（Ｃ））、スクロール方向を切り替えてスクロールアップを行い、初期表示部分となるジョブリストＪ２の予め定められた一部分を表示領域Ｅ１に表示させた状態に戻してから（図９（Ｄ））、スクロール表示を停止させる。これにより、ジョブリストＪ２は、初期表示部分となるジョブリストＪ２部分が表示領域Ｅ１に表示されている状態から、ジョブリストＪ２部分が多く隠れている側に大きくスクロールし、ジョブリストＪ２部分が少なく隠れている側には、これよりも小さくスクロールする。このため、第２実施形態によれば、ジョブリストＪ２について、上下いずれの方向に隠れている情報量が多いのか少ないのかを、当該スクロール量から判断することが可能になる。
【００４９】
なお、Ｓ２１及びＳ２２においては、表示制御部１０３は、距離ｄ１及び距離ｄ２の値に比例させて、上下それぞれの方向へのスクロール量を設定するようにしてもよい。
【００５０】
なお、本発明は上記実施の形態の構成に限られず種々の変形が可能である。例えば、上記実施形態では、本発明に係る表示装置の一実施形態として画像形成装置を用いて説明しているが、これは一例に過ぎず、本発明に係る表示装置は、表示部を備えた、モバイル機器、医療機器、券売機、予約システム等といった機器でもよい。
【００５１】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００５２】
１        画像形成装置
１０      制御ユニット
１００    制御部
１０１    操作受付部
１０３    表示制御部
１０４    表示位置情報記憶部
４７３    表示部
【図１】
0006597483.tif 000002
【図２】
0006597483.tif 000003
【図３】
0006597483.tif 000004
【図４】
0006597483.tif 000005
【図５】
0006597483.tif 000006
【図６】
0006597483.tif 000007
【図７】
0006597483.tif 000008
【図８】
0006597483.tif 000009
【図９】
0006597483.tif 000010